(57)【特許請求の範囲】
【請求項１】
第１のシート部および第２のシート部によって、少なくとも１本の巻き取られた光ファイバを挟み込む本体部と、
前記第１のシート部および前記第２のシート部を接合し、前記光ファイバの巻き取られた部分を囲むように形成された保持部と、
挟み込まれた前記光ファイバの一部を含む、前記第１のシート部または前記第２のシート部の一部の領域であって、前記本体部から除去しまたは変形させることが可能な除去部とを備え、
前記保持部は、前記巻き取られた光ファイバの外周形状に沿った形で形成されることを特徴とする光ファイバのパッケージ。
【請求項２】
前記第１のシート部および前記第２のシート部と同形の、１つ以上のシート部をさらに備え、
前記シート部の隣接する２つによって、複数の巻き取られた光ファイバの各々が挟み込まれ、前記複数の巻き取られた光ファイバを一体に収納できる前記本体部を備えたことを特徴とする請求項１に記載のパッケージ。
【請求項３】
前記本体部の最上面に位置するシート部の中央に、前記巻き取られた光ファイバの外周以下の大きさの開口部を備え、当該開口部を覆うカバーシートを備えたことを特徴とする請求項１または２に記載のパッケージ。
【請求項４】
前記本体部の前記第１のシート部および前記第２のシート部は、単一のシート材で構成されたことを特徴とする請求項１乃至３いずれかに記載のパッケージ。
【請求項５】
前記本体部と前記除去部との間に、切断を容易にする切断ガイド部をさらに備えたことを特徴とする請求項１乃至４いずれかに記載のパッケージ。
【請求項６】
前記切断ガイド部の両端に切り欠き部を設けたことを特徴とする請求項５に記載のパッケージ。
【請求項７】
第１のシート部および第２のシート部によって、少なくとも１本の巻き取られた光ファイバを挟み込む本体部と、
前記第１のシート部および前記第２のシート部を接合し、前記光ファイバの巻き取られた部分を囲むように形成された保持部と、
挟み込まれた前記光ファイバの一部を含む、前記第１のシート部または前記第２のシート部の一部の領域であって、前記本体部から除去しまたは変形させることが可能な除去部とを備え、
前記第１のシート部および前記第２のシート部と同形の、１つ以上のシート部をさらに備え、
前記シート部の隣接する２つによって、複数の巻き取られた光ファイバの各々が挟み込まれ、前記複数の巻き取られた光ファイバを一体に収納できる前記本体部を備えたことを特徴とするパッケージ。
【請求項８】
第１のシート部および第２のシート部によって、少なくとも１本の巻き取られた光ファイバを挟み込む本体部と、
前記第１のシート部および前記第２のシート部を接合し、前記光ファイバの巻き取られた部分を囲むように形成された保持部と、
挟み込まれた前記光ファイバの一部を含む、前記第１のシート部または前記第２のシート部の一部の領域であって、前記本体部から除去しまたは変形させることが可能な除去部とを備え、
前記第１のシート部および前記第２のシート部と同形の、１つ以上のシート部をさらに備え、
前記本体部の最上面に位置するシート部の中央に、前記巻き取られた光ファイバの外周以下の大きさの開口部を備え、当該開口部を覆うカバーシートを備えたことを特徴とするパッケージ。
【請求項９】
第１のシート部および第２のシート部によって、少なくとも１本の巻き取られた光ファイバを挟み込む本体部と、
前記第１のシート部および前記第２のシート部を接合し、前記光ファイバの巻き取られた部分を囲むように形成された保持部と、
挟み込まれた前記光ファイバの一部を含む、前記第１のシート部または前記第２のシート部の一部の領域であって、前記本体部から除去しまたは変形させることが可能な除去部と、
前記本体部と前記除去部との間に、切断を容易にする切断ガイド部をさらに備え、前記切断ガイド部の両端に切り欠き部を設けたことを特徴とするパッケージ。
【請求項１０】
前記本体部の前記第１のシート部および前記第２のシート部は、単一のシート材で構成されたことを特徴とする請求項７乃至９いずれかに記載のパッケージ。
【発明の詳細な説明】
【背景技術】
【０００１】
本発明は、光ファイバに関する。より具体的には、光伝送装置等で使用される光ファイバのパッケージに関する。
【０００２】
光ネットワークの高速大容量化を実現するため、１００Ｇｂｐｓ超の光伝送を実現する「デジタルコヒーレント光伝送技術」の普及が進んでいる。それに伴って、「デジタルコヒーレントトランシーバ」などのデジタルコヒーレント光伝送用装置の小型化が求められている。光伝送用装置では、複数のチャンネルの光信号処理が可能で、着脱が可能なデジタルコヒーレントトランシーバ（以下、簡単のためトランシーバと言う）の仕様が規定されている。トランシーバの消費電力やサイズは、標準化団体のＯＩＦ（The Optical Internetworking Forum）等によって規格が決められ、光ネットワークの高速大容量化の要請とともに、新規格が策定され続けている。
【０００３】
ＯＩＦの規格によれば、第１世代の１００Ｇｂｐｓトランシーバの幅が８０ｍｍ程度であったものが、次世代の４００Ｇｂｐｓトランシーバでは、幅は２０ｍｍ程度にまで小型化されている（ＣＦＰ８、ＯＳＦＰ規格等）。これに伴い、トランシーバを構成する主な要素の１つである光送受信デバイスにも、１０〜２０ｍｍ角程度のサイズが要求されている。光送受信デバイスは多層配線基板上に光部品や電気部品を搭載したモジュールであって、光変調器やコヒーレント受信機などの光送受信機能を集積化したものである。
【０００４】
光送受信デバイスおよびトランシーバの間の入出力インタフェースを光接続するために、光ファイバが使用される。トランシーバを製造するにあたっては、光送受信デバイスに接続された光ファイバは、後工程で利用するのに適当な長さに切断され、光送受信デバイスと光ファイバが一体となった形態で取り扱われることが多い。したがって、光ファイバが接続された状態の光送受信デバイスを検査したり、トランシーバへの組み込みをしたりする工程は、破損しやすい光ファイバに対して慎重な扱いが求められる。
【０００５】
光ファイバの収納方法に関して、例えば特許文献１がプラスチックケース利用した光ファイバの収納法の形態を開示している。また特許文献２は、一般的な用途の光ファイバの自体の余長部分の処理方法を開示している。さらに特許文献４は、光ファイバ増幅器における防湿効果を有する極めて長い光ファイバの収納形態を開示している。また特許文献５は、光ファイバの余長部分を多重交差なしに処理する多層シートを、特許文献６は、コネクタが接続された複数の光ファイバを保持して梱包する形態が開示している。光ファイバの光モジュールにおける配線に関して、特許文献３が複数の空間光学部品から構成される大きな光モジュール内において、光ファイバの余長部分を処理する形態を開示している。
【先行技術文献】
【特許文献】
【０００６】
【特許文献１】特開２００９−０５１５１２号公報
【特許文献２】特開２００３−１８５８４８号公報
【特許文献３】特開２００４−８５９２０号公報
【特許文献４】特開２０００−２９２６４２号公報
【特許文献５】特開２００２−３６５４４８号公報
【特許文献６】特開２００３−１９２０２１号公報
【発明の概要】
【発明が解決しようとする課題】
【０００７】
上述のようにトランシーバおよびその中に組み込まれる光送受信デバイスの小型化の要請により、光送受信デバイスと共に使用される光ファイバを、安全で効率的に作業性良く取り扱うことのできる仕組みが求められている。上述の従来技術では、光ファイバの単体や、比較的大きな光モジュールにおける光ファイバの取り扱いや保存などを助ける収納、梱包等の形態が開示されている。これらのいずれも、最大幅が２０ｍｍ程度のトランシーバや、１辺が１０〜２０ｍｍ程度に小型化された光送受信デバイスで使用される光ファイバにおける次のような問題に対処できるものではなかった。
【０００８】
上述のＣＦＰ８、ＯＳＦＰ規格のサイズの光モジュールの組立の際には、光モジュールの内部と外部の接続のために、１本以上の光ファイバを光モジュールに接続する必要がある。光ファイバを接続する際には、例えば特許文献６の図１などに示されているようなシート状の梱包ケースから光ファイバを取り出して、光モジュールに実装する。通常、梱包ケースのシート１面を剥がして開封し、光ファイバをケースから取り出す。この開封の際に、光ファイバの弾性のため光ファイバの一部がケースから飛び出して作業が煩雑になり、ファイバが破損する恐れもあった。また光ファイバを光モジュールに取り付けた後で、一旦広がって伸びた光ファイバを再度巻き取るなどしないと、光モジュールを安全で効率的に保管や輸送することはできない。光モジュールを組立後の次工程（検査、測定、輸送、装置への搭載、装置組立など）のための作業時間と手間が増えてしまう問題があった。
【０００９】
図１は、トランシーバ内に搭載される光モジュールの構成例を示した図である。図１の（ａ）は、光モジュール１に光ファイバを取り付けて組立が終わった段階の構成を示す。一辺が最大１０〜２０ｍｍ程度の大きさの光モジュール１から、３００〜４００ｍｍの長さの光ファイバ２が、その弾性のためにほぼまっすぐに伸びた状態となる。光ファイバ２の端部には、光モジュールの用途に応じた形態の光コネクタ３が付けられている場合も多い。光モジュール１の機能によっては、図１の（ｂ）に示したように複数本の光ファイバ２ａ〜２ｄが接続された状態の場合もある。複数本の光ファイバ２ａ〜２ｄの場合も、各々の光ファイバの端部には光コネクタ３ａ〜３ｄが付けられている。
【００１０】
図１の（ａ）および（ｂ）のような状態の光モジュールを、製品として梱包して出荷したり、トランシーバへ搭載する次の製造工程のため搬送したりするためは、光ファイバの余長部分を安全に処理する必要がある。例えば、伸びた光ファイバを再度巻き取ったり、光ファイバが破損しないような大型のトレイなどに保管したりするなどの工程が必須となる。これらの工程のために特許文献２に開示されているような粘着性のあるシートを使うこともできるが、被覆の無い１２０μｍ程度の非常に細い光ファイバでは、再梱包と取り出しが難しく、取り扱い中に破損する可能性も高くなる。光ファイバが跳ね上がることなく容易に光ファイバを取り出すことのできるファイバ梱包形態が必須となる。上述のように、光部品としての光ファイバの搬送、また光モジュールへの光ファイバの組み込み、光ファイバ付きの光モジュールの検査、搬送、保管さらには光ファイバ付きの光モジュールをトランシーバへ搭載する製造工程などの各場面において、安全かつ作業性良く効率的に光ファイバの扱いができる仕組みが求められている。
【００１１】
本発明はこのような問題に鑑みてなされたものであって、その目的とするところは、作業性が良く効率的に光ファイバを扱える新規な梱包形態を提供することにある。
【課題を解決するための手段】
【００１２】
このような目的を達成するために、本発明の１つの実施態様は、第１のシート部および第２のシート部によって、少なくとも１本の巻き取られた光ファイバを挟み込む本体部と、前記第１のシート部および前記第２のシート部を接合し、前記光ファイバの巻き取られた部分を囲むように形成された保持部と、挟み込まれた前記光ファイバの一部を含む、前記第１のシート部または前記第２のシート部の一部の領域であって、前記本体部から除去しまたは変形させることが可能な除去部とを備えたことを特徴とする光ファイバのパッケージである。
【００１３】
上記パッケージでは、前記除去部が除去されまたは変形された状態で、前記光ファイバの前記巻き取られた部分の形態が維持される。また、前記保持部は、前記巻き取られた光ファイバの外周形状に沿った形で形成される。
【００１４】
別の実施態様は、上述のパッケージにおいて、前記第１のシート部および前記第２のシート部と同形の、１つ以上のシート部をさらに備え、前記シート部の隣接する２つによって、複数の巻き取られた光ファイバの各々が挟み込まれ、前記複数の巻き取られた光ファイバを一体に収納できる前記本体部を備えたることができる。
【００１５】
また上記パッケージでは、前記保持部は、前記第１のシート部および前記第２のシート部の間の接着、圧着、熱圧着または編み込みによって形成され得る。ここで編み込みとは、例えば針なしのステープラーなどで知られているような、対象材料の一部を切り出して、切り出し部分を対応する切れ目に差し込んで固定するような形態を言う。具体的には、一方のシート部の一部を一定形状に切りだして、他方のシート部の切れ目に折り込むことができる。したがって、本体部において光ファイバを挟み込んで相対するシートの一部分を機構的に絡めることによって接合状態に等しくなるような様々な形態を含む。
【００１６】
上述のパッケージは、前記本体部の最上面に位置するシート部の中央に、前記巻き取られた光ファイバの外周以下の大きさの開口部を備え、当該開口部を覆うカバーシートを備えることができる。
【００１７】
上述の各パッケージは、前記除去部の外周に沿って形成され、切断を容易にする切断ガイド部（ミシン目）をさらに備えることもできる。切断ガイド部は、ミシン目以外に、ガイド部に沿って一方向に切断が容易になっている構造を持っていれば良い。好ましくは、前記切断ガイド部の両端に切り欠き部を設けることもできる。
【００１８】
さらに上述のパッケージでは、前記本体部の前記第１のシート部および前記第２のシート部は、単一のシート材で構成されることができる。さらに上述のパッケージは、前記除去部は、前記第１のシート部および前記第２のシート部の前記一部の領域が一体に除去されるよう構成されることができる。
【００１９】
また上述のパッケージは、前記除去部は、前記第１のシート部または前記第２のシート部のいずれかの前記一部の領域が除去されるかまたは変形されるよう構成されることもできる。
【００２０】
本発明の別の実施態様は光モジュールにおいて、前記光モジュール内の側面から出た少なくとも１本の巻き取られた光ファイバと、前記光ファイバを収納するパッケージであって、第１のシート部および第２のシート部によって、前記光ファイバを挟み込む本体部と、前記第１のシート部および前記第２のシート部を接合し、前記光ファイバの巻き取られた部分を囲むように形成された保持部と、挟み込まれた前記光ファイバの一部を含む、前記第１のシート部または前記第２のシート部の一部の領域であって、前記本体部から除去しまたは変形させることが可能な除去部とを有する、パッケージとを備え、前記パッケージは前記光モジュールの上面に固定され、前記パッケージの幅が、前記光モジュールの前記光ファイバの出ていない側面間の幅程度であることを特徴とする光モジュールである。上述の光モジュールでは、前記除去部が除去されまたは変形された状態で、前記光ファイバの前記巻き取られた部分の形態が維持される。
【発明の効果】
【００２１】
以上説明したように、作業性が良く効率的に光ファイバを扱える新規なパッケージ、光モジュールを実現できる。
【図面の簡単な説明】
【００２２】
【図１】トランシーバ内に搭載される光モジュールの構成例を示した図である。
【図２】本発明の第１の実施形態のパッケージの構成を示す図である。
【図３】本発明のパッケージにおける除去部の機能を説明する図である。
【図４】本発明の第２の実施形態のパッケージの構成を示す図である。
【図５】光モジュール上に固定したパッケージの様々な形態例を示した図である。
【図６】光モジュール上に固定したパッケージのより詳細な構成を示した図である。
【図７】本発明の第２の実施形態のパッケージのより具体的な構成を示す図である。
【発明を実施するための形態】
【００２３】
本発明は、少なくとも一端を有する光ファイバの梱包形態を提供する。光ファイバは、光ファイバを巻き取られた状態で保持する保持部と、一部が変形または除去される除去部を有するパッケージによって収納され、梱包される。この本発明の梱包形態において、パッケージは、所定の長さを有し両端を持つ光ファイバの単体を梱包することもできるし、一端が光モジュールなどの光回路やコネクタ等に接続された光ファイバを梱包することもできる。パッケージによって梱包される光ファイバは、１本でも良いし、複数本の光ファイバであっても良い。梱包される光ファイバの端部には、光コネクタが接続されていても良い。端部には、複数の光ファイバをアレイ状に並べるコネクタが接続されていても良い。
【００２４】
１本以上の光ファイバは、パッケージの全体を構成する本体部（シート材）によって挟み込まれる。以下の説明では、パッケージの全体を本体部と称する。本体部は、第１のシート部および第２のシート部の２層のシート材を含む。本体部は、第１のシート部および第２のシート部を相互に貼り合わせ同時にパッケージ内で光ファイバの形状を維持する保持部を有する。さらにパッケージの一部は、簡単に切り離したり変形させたりできる除去部を備えており、除去部をパッケージから切り離しまたは変形させた状態でも、光ファイバは保持部によって一定の形状を維持できる。光ファイバの端部は、パッケージ内に収まっていても良いし、端部がパッケージ外に出ていても良い。光ファイバの端部がパッケージ内に含まれている場合は、その端部がパッケージの内部で固定されていても良い。光ファイバの端部がパッケージ外に出ている場合は、光ファイバの柔軟性によって一定長さだけ光ファイバを引き出すこともできる。
【００２５】
上述の第１のシート部および第２のシート部に加えて、除去部として機能するカバーシート部を備えることもできる。このとき、カバーシート部を除去することで第１のシート部または第２のシート部の一部に開口部が形成される。
【００２６】
光モジュールに光ファイバが接続された状態で、本発明の梱包・収納形態を利用することもできる。パッケージは、梱包される光ファイバが巻き取られた部分から適切な湾曲部を経て光モジュールの接続部へ至るように、パッケージ内部から外部へ光ファイバを通す開口部を有する。パッケージは、後に着脱可能なように、光モジュールの筐体の上面に固定される。パッケージの幅は、光モジュールの一辺の長さ程度であるのが好ましい。
【００２７】
上述のように、本発明は両端を有する１本以上の光ファイバのみを収納するパッケージとして実施できる。また、光ファイバが接続された光部品（例えば光モジュール）の光ファイバを、パッケージ内に収納し、この光部品およびパッケージを一体で取り扱うことができる。以下、具体的な構成例とともに本発明の光ファイバの梱包形態について説明する。以下の説明では、梱包形態を単にパッケージと呼ぶが、本発明は光ファイバの梱包・収納方法としての側面も持つことに留意されたい。また以下の説明では、光ファイバを「収納」すると言う表現も用いるが、これは、「梱包」と同じ意味で使用される。
【００２８】
[第１の実施形態]
図２は、本発明の光ファイバのパッケージの構成を示す図である。本発明のパッケージ１０は、第１のシート部および第２のシート部、すなわち光ファイバ１５を挟む上下２層のシートで構成される。パッケージ１０の外周部は、光ファイバ１５の端部１３が出る部分を除いて閉じていても良いし、外周部の一部が閉じていても良い。上下のシートが異なる大きさ、形状であっても良い。また、図２のように光ファイバの他方の端部も含めて、閉じた袋状のパッケージ内（収納部）に光ファイバの全体が収まっていても良い。したがって、パッケージは１枚のシートを折り返すことによって、２層のシートを形成した構造でも良いし、２枚の別々のシートを後述する保持部または周辺部で貼り合わせて固定したものでも良い。また、２層のシートの形態ではなく、側面を有する箱形状でも良い。この場合、後述するミシン目は側面にも延長して形成した方が切り離ししやすい。
【００２９】
シートは、梱包される光ファイバが見えるように少なくとも一部が半透明または透明であるのが好ましい。また、シートの一部に窓を開けた構造であっても良い。例えば、光ファイバを挟み込む２層のシート（第１のシート部および第２のシート部）の一方のシートのみ、または、一方のシートの一部、両方のシートの一部が半透明であって、内部の光ファイバを視認可能であれば良い。半透明の場合は、パッケージ内部の光ファイバの位置および形態が外から視認可能である限り、色やその透明度に制限はない。したがって、シート材料としては、樹脂、金属箔、不織布、天然繊維や化学繊維を材料とする布やメッシュ等を利用できる。光ファイバを視認できる部分の材料と、他の部分の別の材料とを組み合わせても良い。これらのシート材料は、導電性や難燃性を備えていても良い。シート材料として不透明な材料を用いる場合には、シート面上に穴やスリットを設け、内部の光ファイバの位置および形態を確認できるようにすることもできる。また後述する別の実施形態では、光モジュールと一体のパッケージが、リフロー工程などの高温環境にさらされる場合を考慮して、ポリイミド、フッ素樹脂等をシート材料として利用することもできる。
【００３０】
本発明のパッケージ１０は、その内部で光ファイバ１５を円形状に巻き取られた状態で保持できるように保持部１１ａ、１１ｂを有し、図５で後述するように様々な形状の保持部を選択することができる。保持部１１ａ、１１ｂは、接着剤、両面テープ、圧着、熱圧着、編み込み等によって、光ファイバを保持しながら、上下２枚のシートを相互に接合し、形成される。また、２枚のシートの間をシートとは別の部材を用いて固定して、保持部１１ａ、１１ｂを形成しても良い。ここで編み込みとは、例えば針なしのステープラーなどで知られているように、対象材料の一部を切り出して、切り出し部分を対応する切れ目に差し込んで固定するような形態を言う。具体的には、一方のシート部の一部を、例えば帯状などの一定形状に切りだして、他方のシート部の切れ目（例えば、はしご状の切れ目）に折り込む（編み込む）ことができる。したがって編み込みは、本体部において相対して光ファイバを挟み込む２枚のシートの一部分を機構的に絡めることで、２枚のシートを接合したのと同様の状態にできる、様々な形態を含む。上述のように、２枚のシートおよび保持部により形成された空間は光ファイバをその中に収める収納部となる。
【００３１】
図２のパッケージ１０は、直線状の保持部１１ａと、円弧形状を含む連続した線状の保持部１１ｂからなっているが、光ファイバを保持できる限り、保持部は必ずしも連続した線状である必要はない。すなわち、切れ切れの短い保持部要素の配列であっても良いし、点状の保持部要素が連なって全体として図２の保持部１１ａ、１１ｂのような形状を形成していても良い。上述のより小さな保持部要素の配列によって保持部が形成される場合、光ファイバを円形状または楕円状に保持できる限り、保持部要素の数は限定されない。光ファイバが接するシートの内面には光ファイバとの摩擦が大きくなる材料や構造を用いても良いし、内面に表面加工を施しても良い。
【００３２】
本発明のパッケージ１０は、２つの保持部１１ａ、１１ｂの間に、除去部１２ａの外周に沿って形成され、切断を容易にする切断ガイド部を備える。例えばミシン目１６などの切り離し可能な構造によって、このミシン目１６を境にして、パッケージ１０を除去部１２ａおよび残存部１２ｂに分離できる。除去部の様々な変形例については、図５とともにさらに詳細に述べる。
【００３３】
ミシン目１６がパッケージ１０の２枚のシートの対応する位置に形成されていれば、除去部１２ａをパッケージ１０の本体の残存部１２ｂから完全に分離することができる。一方のシートのみに例えばミシン目１６が形成されている場合は、他方のシートのミシン目に対応する位置に、折り目構造があることが望ましい。一方のシートはミシン目１６によって本体部から切断され、他方のシートは折り目構造によって除去部１２ａが折り返されて、光ファイバ１５をパッケージ１０から露出させることができる。なお、折り返しをしやすいように折り目構造の両端部にミシン目や切れ目を入れておいても良いし、折り目構造としてミシン目を採用することもできる。
【００３４】
図３は、本発明のパッケージにおける除去部の機能を説明する図である。図３の（ａ）は、除去部１２ａをパッケージから切り離す前の状態を示しており、パッケージ内に梱包される光ファイバ１５の両端部１３、１４がパッケージ外に出ている点で、図２の構成と相違している。図示はしていないが、パッケージ外部の光ファイバの端部のいずれかに、光コネクタや光レセプタクルなどが接続されていても良い。
【００３５】
図３の（ｂ）は除去部１２ａをパッケージ１０の両面に形成されたミシン目１６で切り離して、残存部１２ｂのみが残ったパッケージの状態を示している。パッケージ１０からの除去部１２ａ切り離しは、例えば、光ファイバを光モジュールに接続する工程の直前に行うことができる。除去部１２ａを切り離した状態では、光ファイバの端部１３、１４がパッケージ外部に露出しているが、光ファイバ１５本体は依然として円形状または楕円状の一定の形状に保持されたままであることに留意されたい。図３の（ｂ）では、ミシン目１６に沿って除去部１２ａの全体がパッケージ本体から切り離される例を示したが、除去部の構成はこれだけに限られない。パッケージ内に収納されていた光ファイバをスムーズに取り出すことができれば良いので、上下シートの内の除去部１２ａに相当する部分について、一方のシートの全部または一部が除去されても良い。除去部１２ａを切り離しし易いようにミシン目１６の一端に切り欠きを設けても良い。また、ミシン目１６の位置は、光ファイバ１５を取り出しやすいように、切り離した時に光ファイバが三日月状に露出するような位置にあるのが良い。
【００３６】
後述の図５の各図においてもさらに説明することになるが、除去部１２ａの形状は、除去した時に光ファイバ１５の本体の形状を保持したまま、光ファイバ１５を容易に取り出せる開口部を形成できる限り、図３の（ａ）の構成だけに限定されない。パッケージの一辺の近傍に直線状のミシン目によって除去部１２ａを形成した図３の（ａ）とは異なる構成をとり得る。除去部１２ａの別形態として、例えば図３の（ｃ）のように、一方のシート例えば上層のシートについて、保持部１１ｂの形状に沿って光ファイバ本体１５の円形状の内側近傍にミシン目１７を設けることができる。他方のシート（下層のシート）については、図３の（ａ）と同様に、直線状のミシン目１６のままである。形状の異なる２つのミシン目１６、１７によって、除去部１２ａと一体に、上層のシートの保持部１１ｂの内側の領域をＵ字状に除去し、パッケージの中央部付近に開口部を設けることもできる。
【００３７】
この場合、シートの中央部に大きな開口部を設けて光ファイバを広く露出させても、円形状または楕円状である光ファイバの本体１５は弾性により保持部に押し付けられている。光ファイバは、除去部１２ａを切り離す前の元の形状を維持したままで、パッケージから飛び出ることはない。図３の（ｃ）の構成のように、開口部が広い程光ファイバへのアクセスはし易いが、光ファイバがパッケージから飛び出してしまうリスクは増大する。そのため、除去部１２ａを切り離した状態で、光ファイバ本体（円形状部分）の少なくとも半分以上は上層シートに覆われていた方が良い。少なくとも半分以上の光ファイバ本体部の内側あるいはその直上にミシン目１７が設けられるのが良い。なお、ミシン目１７の一部を、保持部１１ｂを超えてはみ出させても良い。
【００３８】
また、除去部をパッケージから切り離すのではなく、一方のシートがめくり上がるようにしてシートの一部を変形させるだけでも良い。したがって本発明のパッケージにおける除去部は、単に除去部全体がパッケージの本体部から切り離されるものだけではなく、少なくともその一部が除去されるか、変形されるものも含むことに留意されたい。
【００３９】
上述の除去部は、パッケージの本体部の２層のシート（第１のシート部および第２のシート部）の一部を除去したり、変形したりするよう構成されているが、さらにカバーシートを備えることもできる。本体部の２層のシートの一方に予め開口部を設けておき、その開口部を覆うようにカバーシートを本体部上に固定しておけば良い。例えば、一方のシートの開口部をシールするようなカバーシートを予め貼付しておき、光ファイバを取り出すときに、このカバーシートを本体部から剥がすことができる。このようにカバーシートをさらに備える構成でも、上述の除去部と同じ機能を果たすことができる。
【００４０】
本発明のパッケージによれば、その一部を切り離したり変形したりすることで、光ファイバの端部または全体に対してアクセスが可能になる一方で、光ファイバ全体はパッケージ内で巻き取られた状態のままに維持できる。したがって、パッケージから、露出した端部によって光ファイバを直線状に引き出すことができると同時に、円形状を維持したままで光ファイバを取り出すことも可能となる。この段階で、円形状の光ファイバを何らかの方法で仮固定することで、光ファイバが伸び切った直線状にならないようにできる。次工程まで一時的に光ファイバを保管したり、後続の光モジュール等の製造工程内を搬送したりする際などに、光ファイバを破損させることなくコンパクトな状態に維持できる。一端が光ファイバブロックに接続された複数の光ファイバを取り扱う場合には、パッケージの２層のシート内で複数の光ファイバを円形状に保持されたままにしておくことで、後にこれらの光ファイバを利用する工程における取り扱いが格段に簡単かつ安全となる。また、複数の収納部を有するパッケージを用いて、それぞれの収納部に１つの光ファイバを収納しても良い。２枚以上のシートを周辺部で貼り合わせ重ねて固定することにより、複数の収納部を有するパッケージが形成できる。また、単一のシート材を蛇腹折にして収納部を複数形成しても良い。
【００４１】
上述の第１の実施形態では、本発明の光ファイバのパッケージは、２つの端部を有する１つ以上の光ファイバを収納するものとして説明した。しかしながらこの形態に限らず、図１に示したような光モジュールに光ファイバが接続された状態における光ファイバの梱包形態としても、本発明の上述の優れた特徴がさらに発揮される。
【００４２】
[第２の実施形態]
図４は、本発明の光ファイバのパッケージの第２の実施形態の構成を示す図である。本実施形態では、光モジュール２０と、光モジュール２０に接続された光ファイバ１５と、光ファイバ１５を収納するパッケージ１０とから構成される。パッケージ１０だけを見た場合には、図２に示した第１の実施形態のパッケージと同一の構成を持つ。本実施形態では、パッケージ１０の外部に露出した光ファイバの端部１３がそのまま光モジュール２０に接続されている。図４は、第２の実施形態の一態様を示しており、外部接続のための光ファイバ１５を組み込んで完成した光モジュール２０と、この光ファイバ１５をパッケージ１０内に収納した状態を示している。光ファイバ１５は光モジュール２０の側面（接続面）の接続部を介して光モジュールの内の光素子と接続されている。
【００４３】
図５は、光モジュール上に固定したパッケージの様々な形態例を示した図である。図５の（ａ）〜（ｃ）は、パッケージ１０における除去部２２ａ、２２ｂ、２２ｃの異なる構成例を示しており、光モジュール２０の上面にパッケージ１０を固定した状態を、上から見た図である。図５の（ａ）〜（ｃ）いずれの場合も、除去部の少なくとも一部はモジュール２０の光ファイバが接続される面（接続面２６）を越えている。パッケージ１０は、光モジュール上面からはみ出る位置に、両面テープや接着剤などで光モジュール２０上に固定されている。
【００４４】
パッケージと光モジュール２０との間は、本体部のシートに穴などの何らかの形状を形成して、光モジュールの突起部に引っ掛けるなどして固定をしても良い。したがって、光モジュールのフック構造に対応した何らかの構造をパッケージの本体部に形成することでも、光モジュール上にパッケージを固定できる。図５の（ａ）〜（ｃ）では、パッケージ内から外へ光ファイバが通る部分の構造は明示していないが、パッケージの一部に光ファイバを外に出す切れ目や開口部を設けておけば良い。
【００４５】
図５の（ａ）では、光モジュール２０の上面からはみ出たパッケージの一部分が概ね除去部２２ａと対応している。除去部２２ａ内にも、円形状の巻き取られた光ファイバ本体部から光モジュール側面までの湾曲部分を保持する半円と直線を接続したキャップ（帽子）状の保持部２１ａを含んでいる。点線で示した切断ガイド部、例えばミシン目２５によって除去部２２ａが切り離されても、光ファイバの本体部である巻き取られた部分は保持部２１ｂによりその形態が維持される。このため、光ファイバの露出している部分を手掛かりに、パッケージ内で巻き取られた状態を維持したまま光ファイバを取り出すことができる。したがって、円形状の光ファイバの円周部分の一部および切断ガイド部は、光ファイバが接続される光モジュールの辺を越えて位置していることが好ましい。なお、ミシン目２５を２枚のシートに形成すれば除去部２２ａは完全に除去されるが、一方（上層）のシートのみに形成しても良い。この場合は除去部の上層シートをめくり上げて光ファイバを露出させる。
【００４６】
図５の（ｂ）では、パッケージ１０の右半分が除去部２２ｂとなっており、保持部２１は、光ファイバの巻き取られた部分を囲むように形成され、光ファイバを滑らかに整形できるように光ファイバ全体を囲う一体のものとなっている。点線のミシン目２５で除去部２２ｂを切り離すことで、残った保持部２１によって光ファイバはパッケージ内で巻き取られたままの状態を維持できる。
【００４７】
図５の（ｂ）では、除去部の構成の変形例の１つとしてパッケージの中央部にミシン目２５がある例を示しているが、ミシン目の位置や形状をさらに変形することができる。例えば、ミシン目の長さを除去部２２ｂのサイズの半分より小さくなるようにすれば、光ファイバはより確実に円形状に巻き取られた状態を維持できる。また、ミシン目をパッケージ外周の辺に対して斜めにしたり、曲線としたりすることでも、光ファイバ本体へのアクセスのし易さを維持しつつ、除去部２２ｂの切り離しをし易くしたり、光ファイバの巻き取られた状態の維持をより確実にしたりすることができる。
【００４８】
図５の（ｂ）の構成では、ミシン目２５によって除去部２２ｂの領域内に形成されていた保持部２１の一部が分断され、Ｕ字およびキャップ形状の一部だけが保持部として残された状態となる。また、光モジュール２０の上面に位置している除去部の方が光モジュール２０接続面２６からはみ出している除去部よりも大きいため、ミシン目２５を２枚のシートに形成して、除去部２２ｂを切り離す構成の方が、光ファイバの取り出しが容易に行える。この場合、切り離したときに残存する部分の下側シートのみが光モジュール上面と固定され、除去部の下側シートは光モジュール上面と固定されない。
【００４９】
図５の（ｃ）では、パッケージ１０にＵ字状の単一の保持部２１があり、保持部２１の内側の領域に除去部２２ｃがある。この除去部２２ｃは、パッケージ１０の上側にあるシートのみがめくり上がるように、上側シートの２か所に直線状のミシン目２５ａ、２５ｂが入っている。ミシン目２５ａ、２５ｂの終端部を結ぶ線が、除去部２２ｃがめくり上がった際の折り目となる。またミシン目２５ａ、２５ｂの終端部は、光モジュール上面で、除去部２２ｃがめくり上がった際に、三日月状に光モジュール本体が露出する位置にある。したがって、除去部２２ｃを２か所のミシン目２５ａ、２５ｂに沿ってめくり上げることで形成される開口部から、光ファイバの取り出しが可能になり、同時に光ファイバがパッケージ内で巻き取られたままの状態を維持できる。除去部２２ｃをめくり上げて変形させた状態でも、光ファイバが巻き取られた形態が維持され、巻き取られたままの形状で、光ファイバをパッケージから取り出して、次工程の作業に適した処理を行うことができる。
【００５０】
また、図５の（ｃ）の直線状のミシン目２５ａ、２５ｂの端部からさらにミシン目を延長して、連続した一体のミシン目としても良い。例えば、ミシン目２５ａ、２５ｂの端部を直線で結んで、コの字型のミシン目とすることができる。また、連続した一体のミシン目を保持部の内側で、ファイバの円形状に沿って形成すれば、Ｕ字状のミシン目となる。この場合Ｕ字状の除去部を切り離すと、Ｕ字状の開口部が形成されるが、光ファイバはその弾性により保持部２１に押し付けられており、その形態は維持される。なお、取り出しを容易にするため、ミシン目の一部分を保持部外側にはみ出させても良い。
【００５１】
上述の図５の（ａ）および（ｂ）では、上下のシートを含む除去部の全体が一体に切り離されるものとして説明したが、図５の（ｃ）と同様に、パッケージの下側のシートはそのままとして、上側にあるシートだけがミシン目を境にして折り返す（除去される）ように除去部を構成しても良い。すなわち除去部は、パッケージの本体部の第１のシート部（上側）または第２のシート部（下側）のいずれかの一部の領域が除去されるかまたは変形されるよう構成され得る。
【００５２】
図５の（ａ）〜（ｃ）のいずれの構成も、光モジュール２０の内部から出ている光ファイバを、光モジュール２０の上面に固定したパッケージ１０内にコンパクトに収納・梱包することができる。本実施形態の梱包形態によって、図１に示したような形態の光ファイバ付きの光モジュールを、光ファイバの破損などを気にすることなく安全に取り扱え、かつコンパクトな形態のまま取扱いできる。図５のような光モジュールおよびパッケージが一体となった梱包形態は、光モジュールの輸送や、後続のトランシーバへの組立工程にあたって、光モジュールの取り扱いを容易にする。さらに、光ファイバの破損などによる、トランシーバの品質および製造歩留まりの低下や、生産効率の低下を防ぐことができる。また、パッケージ１０から光ファイバを取り出した後のパッケージの収納部を、他の光部品などの光ファイバを収納するための仮収容部としての再利用が可能である。
【００５３】
図５の（ａ）〜（ｃ）各図において、光モジュー２０ルの上面に位置する保持部２１はいずれも光ファイバの本体の形状に沿ったＵ字型をしているが、上面からはみ出した部分の保持部２１の形状は、除去部２２ａ、２２ｂ、２２ｃの位置や形状によって、除去部を切り離した時の光ファイバの取り扱いができるだけ容易となるように最適化される。図５の（ａ）〜（ｃ）各図において、光モジュール２０の上面に位置する保持部２１はいずれも光ファイバの本体の形状に沿ったＵ字型となっている。一方、上面からはみ出した部分の保持部２１の形状は、除去部２２ａ、２２ｂ、２２ｃの位置や形状によって、除去部を切り離した時の光ファイバの取り扱いができるだけ容易となるように最適化される。この観点から、図５の（ａ）〜（ｃ）の中では（ａ）の保持部の形状が最適である。図５の（ａ）の保持部は、円形状に巻き上げられた光ファイバの本体から、光モジュール側面（接続面２６）までの光ファイバの自然な引き回しルートに沿った形状となっている。図５の（ａ）では、Ｕ字形と直線が連結したキャップ形状（つばのある帽子形状）が形成される。図５の（ａ）ではキャップ形状の保持部２１ａとＵ字形状の保持部２１ｂとがミシン目２５で分断された形状で、キャップ形状の保持部は分断されない。
【００５４】
図５の（ｂ）では、除去部２２ｂのキャップの頭頂部が分断されており、キャップ形状の一部とＵ字形状の部分が連結された保持部となっている。図５の（ｂ）の場合は、除去部の切り離し前の状態（除去前の状態）では、図５の（ａ）と同じく、光ファイバの自然な引き回しルートに沿っており、光ファイバへの負担の小さい形状で保持されている。しかしながら、除去部を切り離した状態（除去後の状態）では、光ファイバ本体全部が光モジュール上に位置するため、図５の（ａ）の構成と比べて、光ファイバへのアクセスの容易さは劣る。
【００５５】
図５の（ｃ）ではキャップ形状を使用せずに、保持部をＵ字形状に単純化した形状である。図５の（ｃ）の場合は、除去前の状態では、光モジュールからの円形状の光ファイバの形状が十分保持されておらず、形状保持の点で図５の（ａ）には劣るものの、除去後の光ファイバへのアクセスの点では図５の（ａ）と同等である。
【００５６】
図５の（ａ）〜（ｃ）の各図に示したように、パッケージ１０の幅を光モジュールの一辺の長さよりも小さくすることで、トランシーバの製造工程では実質的に光モジュールと同じサイズのものとして取り扱える。例えば、図５に示した状態の光モジュールを、自動搭載機によってリフロー前のトランシーバの基板上に搭載することが可能となる。尚、パッケージ１０の幅は、光モジュールの幅以下であるのが好ましいが、自動搬送機の機能によっては光モジュールの幅より大きくても問題がない場合もある。したがって、光モジュールの光ファイバの出ていない側面の幅程度であれば良い。パッケージの材料に耐熱性の高いポリイミド、フッ素樹脂などを利用すれば、光モジュールを納入した時のままの状態で、他の自動搭載可能なデジタル信号プロセッサ（ＤＳＰ：Digital Signal Processor）チップなどの電気部品と同じ取り扱いで、トランシーバに搭載することができる。トランシーバの組立工程の効率化に大きく寄与できる。
【００５７】
図５の（ａ）〜（ｃ）の各図に示したパッケージの本体部の外形は、矩形形状のものとして説明したが、一部が光ファイバの巻き取られた部分に沿って曲線状になっており、全体でＵ字形状のものでも良い。さらに、パッケージは光ファイバの収納部を複数備えていても良い。例えば、３枚以上のシートの外周部を張り合わせるなどして固定すれば、重なり合った２つ以上の収納部を形成することができ、光モジュールから延びる複数の光ファイバを同時にコンパクトに収納することができる。また、単一のシート材を蛇腹折にして収納部を複数形成しても良い。
【００５８】
したがって本発明は、光モジュールにおいて、前記光モジュール内の側面から出た少なくとも１本の巻き取られた光ファイバと、前記光ファイバを収納するパッケージであって、第１のシート部および第２のシート部によって、前記光ファイバを挟み込む本体部と、前記第１のシート部および前記第２のシート部を接合し、前記光ファイバの巻き取られた部分を囲むように形成された保持部と、挟み込まれた前記光ファイバの一部を含む、前記第１のシート部または前記第２のシート部の一部の領域であって、前記本体部から除去しまたは変形させることが可能な除去部とを有する、パッケージとを備え、前記パッケージは前記光モジュールの上面に固定され、前記パッケージの幅が、前記光モジュールの前記光ファイバの出ていない側面間の幅程度であることを特徴とする光モジュールとして、実施できる。
【００５９】
また本実施形態では、取り扱いが難しい光ファイバが図１の構成と比べて各段にコンパクトに整形されている。このため、光モジュールをトレイ上などに一時保管する場合でも、扱いが簡単で省スペースとなり、高密度に収納が可能となる。さらに、本発明に特有の除去部および保持部の構成のため、光ファイバをパッケージから取り出す際にも、パッケージ内で巻き取られていたままの状態を維持できる。光ファイバの端部を加工したり、トランシーバ内の他の部分と接続したりする際も、必要な作業の直前で、巻き取られた状態から解放すれば良い。このため直線状に伸びた光ファイバの慎重な扱いに由来したトランシーバの組立作業の煩雑さは解消され、トランシーバの組立作業全体を効率化できる。
【００６０】
図６は、光モジュール上に固定したパッケージのより詳細な構成を示した図である。図６の（ａ）は図５の（ｃ）と同じ構成の梱包形態の上面図であり、図６の（ｂ）はＶＩＢ−ＶＩＢ´線で切った断面図である。光モジュール２０の側面から垂直に出た光ファイバ２４ａは、最小の曲率で光モジュール側に、光モジュールの上面に向かって折り返して、そのままパッケージ１０の中に収納される。パッケージ１０の内部では、光ファイバ２４ｂは、Ｕ字状の保持部によって円形状に巻き取られた形状２４で保持される。パッケージ１０と光モジュール２０の上面との間は、両面テープや接着剤などによって固定できる。パッケージ１０と光モジュール２０との間の固定は、接触面全体を密着させて固定しても良いし、一部を密着さえて固定しても良い。上述の除去部を含むシートの除去される領域は、密着して固定しない方が良い。したがって図６に示した構成は、光ファイバ付きの光モジュールの光ファイバを、図４のように一定長さを残してパッケージ１０内に収納し、その後パッケージの向きを変えて光ファイバを折り返し、パッケージを光モジュール上に固定して得られる。図５の（ａ）〜（ｃ）の各図および図６では、パッケージ内から外へ光ファイバが通る部分の構造は明示していないが、パッケージの一部に光ファイバを外に出す切れ目や開口部を設けておけば良い。
【００６１】
図７は、第２の実施形態のパッケージのより具体的な構成例を示す図である。図７の（ａ）は、組立前の第２の実施形態のパッケージを構成する構成要素を示している。光モジュール３０は、一部のみを図示している光ファイバ３２が接続されている。光モジュール３０の上には、１つのコーナーを切り欠いた、中央部で光モジュールと接触することになる下シート３４を示している。下シート３４の上述の切り欠いた部分は、パッケージを構成したときには光ファイバを通す開口部となる。さらに、外周が下シート３４と同じで、除去部を持たない矩形状の上シート３３を示している。
【００６２】
図７の（ｂ）は、上述の構成要素を組み合わせて、光モジュールと一体化したパッケージの構成を光モジュールの上方から見た図である。下シート３４と上シート３３は周辺が保持部３５により張り合わされている。本構成例では、保持部３５はＵ形状ではなく矩形状の例を示している。光ファイバは矩形状の保持部３５によって、概ね楕円状に巻き取られている。光ファイバは、巻き取られた本体部分３２ｂから湾曲部分３２ａを経て、開口部を通って光モジュールの側面（接続面）に至る。光モジュール３０の図面左側には、パッケージの点線で示したミシン目３６が位置しており、ミシン目３６より左側を、除去部として切り離すことができる。なお、図７の（ｂ）に示したようにシートの外周辺を張り合わせるのではなく、光ファイバの巻き取られた部分の外形に沿った形状で２枚のシートを張り合わすこともできる。これによって、図５および図６で例示したＵ字形状やＵ字形状およびキャップ形状を組み合わせた形状の保持部を形成できる。
【００６３】
図７の（ｃ）は、（ｂ）の上面図のＶＩＩ−Ｖｉｉ´線を切った断面を、図面の上方側から見た図である。見やすくするために、縦方向は拡大して示している。上シート３３と下シート３４とが保持部３５で合わせられ袋形状が形成されている。光ファイバの巻き取られた部分３２ｂは袋形状のパッケージに収納され保持されている。上シート３３と下シート３４は密着していても良いし、光ファイバの形状が維持できる範囲で、隙間があっても良い。湾曲部３２ａに相当する部分を適当な長さとれば、図７の（ａ）の構成要素から、図７の（ｂ）の状態となるように梱包する手順における作業は難しくない。
【００６４】
また、湾曲部３２ａの曲率半径が大きくなるように、パッケージの位置や光ファイバの保持位置をずらしても良い。例えば、光モジュール上面上で、側面（接続面）から光ファイバの出る方向に垂直な方向において、パッケージの中心位置を光ファイバと光モジュールの接続部から離す方向にずらしても、保持される光ファイバ本体の中心位置をパッケージ本体の中心から光モジュールの接続部から離す方向にずらしても、湾曲部３２ａの曲りを緩くすることができる。
【００６５】
したがって本発明は、光モジュールの梱包・収納方法としての側面も持っている点に留意されたい。すなわち、側面から光ファイバが出た光モジュールの梱包方法は、最初に、所定の巻き取り径サイズの巻き取られた状態に、光ファイバを整形するステップを実施する。次に、本体部を構成する上下のシートによって、光ファイバを挟み込むステップを実施する。この挟み込みにあたっては、上述の実施形態で述べた保持部を形成して、上下のシート（第１のシート部および第２のシート部）を接合して本体部を形成し、パッケージが完成される。
【００６６】
パッケージ内に光ファイバを収納するため光ファイバを巻き取る際に、円柱状の補助具を用いても良い。この時、巻き取った光ファイバの束を補助具から取り外し、袋状に構成された本体部の上下のシート（第１のシート部および第２のシート部）の間に挿入して、袋の開口部を塞ぐように保持部を形成しても良い。また、一方のシート上に形成された開口部から、巻き取った光ファイバの束を本体部内へ収納して、その後開口部を別のシート材（カバーシート）を接着しても良い。この接着したシート材は、本発明のパッケージの除去部として機能することに留意されたい。
【００６７】
さらに、このパッケージを、接着剤や両面テープなどで光モジュールの上面に固定するステップを実施することもできる。これによって、光ファイバが端部より出た光モジュールと、梱包された光ファイバとが一体となった、光モジュールが得られる。このとき、パッケージの幅が、光モジュールの光ファイバの出ていない側面の幅程度となるようなパッケージサイズとするのが好ましい。
【００６８】
図７の（ｂ）に示したように、光モジュール３０の長辺のサイズと、上シート３３、下シート３４の幅は同じになっており、パッケージと一体化されていても実質的に光モジュールの幅は同じである。したがって、自動搭載機によって光モジュールを掴んで、ＩＣ、ＤＳＰチップなどの他の電気部品と同様にトランシーバの基板上にマウントすることができる。この場合、上下シートの中央部に開口部が設けてあるパッケージを用いれば、自動搭載機でモジュールの上面を直接吸着することができる。上シート３３、下シート３４の長さ方向については、その中央付近で光モジュールと接触するように固定すれば、パッケージを含めた光モジュール全体の重量バランスが取れ、部品傾きなどを生じずに安定して基板上に光モジュールをマウントが可能である。中央部に開口部が設けてあるパッケージの場合は、開口部の周囲を固定すれば良い。
【００６９】
本発明のパッケージでは、保持部の構成や形状によって、光ファイバの巻き取り状態における巻き取り径を自在に設定できる。したがって、パッケージ内に収納される光ファイバを、後工程でのユーザの使用用途に応じた巻き取り径で整形して、パッケージ内に収納できる。例えば、トランシーバの組立工程では、トランシーバの構成に応じた光ファイバの余長処理が要求される。本発明のパッケージは、後工程のユーザの要求に応じた柔軟なフォーミングによって、光ファイバを梱包・収納することが可能となる。
【産業上の利用可能性】
【００７０】
本発明は、光通信システムにおける光モジュールに利用できる。
【符号の説明】
【００７１】
１、２０、３０  光モジュール
２、２ａ〜２ｄ、１５、２４ａ、２４ｂ、３２、３２ａ、３２ｂ  光ファイバ
３、３ａ〜３ｄ  コネクタ
１０、  パッケージ
１１ａ、１１ｂ、２１、２１ａ、２１ｂ、３５  保持部
１２ａ、２２ａ、２２ｂ、２２ｃ  除去部
１２ｂ  残存部
１３、１４  端部
１６、１７、２５、２５ａ、２５ｂ、３６  ミシン目
２６  接続面
３３  上シート
３４  下シート
【要約】
【課題】光モジュールの組立の際には、光モジュールの内外の接続のために、１本以上の光ファイバを接続する。シート状の梱包ケースから光ファイバを取り出す際に、光ファイバの弾性のため光ファイバの一部がケースから飛び出して作業が煩雑になり、ファイバが破損する。また光ファイバを光モジュールに取り付けた後では、伸びた光ファイバを再度巻き取る必要があり、光モジュールを安全で効率的に保管・輸送することができない。
【解決手段】本発明は、少なくとも一端を有する光ファイバのパッケージを提供する。光ファイバは、光ファイバを巻き取られた状態で保持する保持部と、一部が変形または除去される除去部を有するパッケージによって収納・梱包される。本発明のパッケージは、所定の長さで両端を持つ光ファイバの単体を梱包することもできるし、一端が光モジュールなどの光回路やコネクタ等に接続された光ファイバを梱包することもできる。梱包される光ファイバは１本でも良いし、複数本の光ファイバであっても良い。
【選択図】図２【図１】
0006812515.tif 000002
【図２】
0006812515.tif 000003
【図３】
0006812515.tif 000004
【図４】
0006812515.tif 000005
【図５】
0006812515.tif 000006
【図６】
0006812515.tif 000007
【図７】
0006812515.tif 000008